(57)【特許請求の範囲】
【請求項１】
ユーザ端末により利用される周波数帯と、該ユーザ端末と通信を行うセル以外の周辺セルにより利用される周波数帯との関係を表す周波数配置と、該周波数配置に対応してセル移行を実行するか否かを判定する際に利用するセル移行指標を算出する際に利用するセル移行指標算出式とを格納する記憶部と、
下りリンクの信号に基づいて、前記記憶部に格納された周波数配置のうち、該当する周波数配置を特定し、該周波数配置に対応するセル移行指標算出式により、セル移行指標を算出するセル移行指標算出部と、
該セル移行算出部により算出されたセル移行指標を利用して、セル移行制御を行うセル移行制御部と
を有する、ユーザ端末。
【請求項２】
前記記憶部には、前記周波数配置として、前記周辺セルの第１の通信システム及び第２の通信システムのうちの少なくとも一方における周波数帯と、前記ユーザ端末により利用される前記第２の通信システムにおける周波数帯との関係が格納される、請求項１に記載のユーザ端末。
【請求項３】
前記周辺セルの第１の通信システム、第２の通信システムにより利用される周波数帯域幅は、前記ユーザ端末により利用される前記第２の通信システムにより利用される周波数帯域幅とは異なる、請求項１又は２に記載のユーザ端末。
【請求項４】
前記記憶部には、前記セル移行指標算出式として、前記ユーザ端末が通信を行うセルからの下りリンクの信号の受信電力を含む算出式と、前記周辺セルからの干渉電力を含む算出式とが含まれる、請求項１ないし３のいずれか１項に記載のユーザ端末。
【請求項５】
前記セル移行制御部は、アイドルモードであるか否かに応じて、セルリセレクションを行うか否か、メジャメントレポートを送信するかを判定する、請求項１ないし４のいずれか１項に記載のユーザ端末。
【請求項６】
前記セル移行制御部は、アイドルモードである場合、セルリセレクションを行うか否かを判定し、アイドルモードでない場合、メジャメントレポートを送信すると判定する、請求項５に記載のユーザ端末。
【請求項７】
前記セル移行制御部は、メジャメントレポートを送信すると判定した場合、前記セル移行指標を含むメジャメントレポートを送信する制御を行う、請求項５又は６に記載のユーザ端末。
【請求項８】
ユーザ端末からのメジャメントレポートに基づいて、該ユーザ端末をハンドオーバさせるか否かを判定するハンドオーバ制御部と、
該ハンドオーバ制御部により前記ユーザ端末をハンドオーバさせると判定された場合、前記ユーザ端末に、ハンドオーバを指示するための情報を送信する無線通信部と
を有し、
前記メジャメントレポートは、ユーザ端末により下りリンクの信号に基づいて、ユーザ端末により利用される周波数帯と、該ユーザ端末と通信を行うセル以外の周辺セルにより利用される周波数帯との関係を表す周波数配置と、該周波数配置に対応してセル移行を実行するか否かを判定する際に利用するセル移行指標を算出する際に利用するセル移行指標算出式とを格納する記憶部に格納された周波数配置のうち、該当する周波数配置が特定され、該周波数配置に対応するセル移行指標算出式により、セル移行指標が算出され、該移行指標に基づいて作成されたものである、基地局。
【請求項９】
下りリンクの信号に基づいて、ユーザ端末により利用される周波数帯と、該ユーザ端末と通信を行うセル以外の周辺セルにより利用される周波数帯との関係を表す周波数配置と、該周波数配置に対応してセル移行を実行するか否かを判定する際に利用するセル移行指標を算出する際に利用するセル移行指標算出式とを格納する記憶部に格納された周波数配置のうち、該当する周波数配置を特定し、該周波数配置に対応するセル移行指標算出式により、セル移行指標を算出するセル移行指標算出ステップと、
該セル移行算出ステップにより算出されたセル移行指標を利用して、セル移行制御を行うセル移行制御ステップと
を有する、ユーザ端末における通信制御方法。
【請求項１０】
ユーザ端末からのメジャメントレポートに基づいて、該ユーザ端末をハンドオーバさせるか否かを判定するハンドオーバ制御ステップと、
該ハンドオーバ制御ステップにより前記ユーザ端末をハンドオーバさせると判定された場合、前記ユーザ端末に、ハンドオーバを指示するための情報を送信する無線通信ステップと
を有し、
前記メジャメントレポートは、ユーザ端末により下りリンクの信号に基づいて、ユーザ端末により利用される周波数帯と、該ユーザ端末と通信を行うセル以外の周辺セルにより利用される周波数帯との関係を表す周波数配置と、該周波数配置に対応してセル移行を実行するか否かを判定する際に利用するセル移行指標を算出する際に利用するセル移行指標算出式とを格納する記憶部に格納された周波数配置のうち、該当する周波数配置が特定され、該周波数配置に対応するセル移行指標算出式により、セル移行指標が算出され、該セル移行指標に基づいて作成されたものである、基地局における通信制御方法。
【発明の詳細な説明】
【技術分野】
【０００１】
本発明は、無線通信システムに関する。
【背景技術】
【０００２】
ロングタームエボリューション（ＬＴＥ：  Ｌｏｎｇ  Ｔｅｒｍ  Ｅｖｏｌｕｔｉｏｎ）は、Ｗ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）の標準化団体３ＧＰＰ（３ｒｄ  Ｇｅｎｅｒａｔｉｏｎ  Ｐａｒｔｎｅｒｓｈｉｐ  Ｐｒｏｊｅｃｔ）にて仕様が作成されている。Ｗ−ＣＤＭＡは、ユーエムティーエス（ＵＭＴＳ：  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）とも呼ばれる。ＬＴＥは、Ｗ−ＣＤＭＡの拡張技術であるＨＳＰＡ（Ｈｉｇｈ  Ｓｐｅｅｄ  Ｐａｃｋｅｔ  Ａｃｃｅｓｓ）から更に発展した標準規格である。ＬＴＥでは、下りリンクにおいて１００Ｍｂｐｓ以上、上りリンクにおいて５０Ｍｂｐｓ以上の高速通信が実現され、遅延の改善や周波数の利用効率向上などが図られる。
【０００３】
ＬＴＥに従って無線通信を行うシステム（以下、「ＬＴＥシステム」という）が導入されることにより、既存の無線通信システムとＬＴＥとが混在する。既存のシステムには、第３世代無線通信システム（以下、「３Ｇシステム」という）が含まれる。
【０００４】
セル再選択手順と、ハンドオーバ手順に利用される、測定されたセルに対するセル品質順位付け基準について知られている。セル品質順位付け基準は、測定されたセルがサービングセルであるときと、測定されたセルが隣接セルであるときとで異なる（例えば、特許文献１参照）。
【先行技術文献】
【特許文献】
【０００５】
【特許文献１】特開２０１１−０８２９７９号公報
【発明の概要】
【発明が解決しようとする課題】
【０００６】
ＬＴＥシステムでは３Ｇシステムと同じ周波数帯域が使用される。また、ＬＴＥシステムでは、１．４ＭＨｚ、３ＭＨｚ、５ＭＨｚ、１０ＭＨｚ、１５ＭＨｚ、２０ＭＨｚの帯域幅が選択できる。
【０００７】
図１は、複数のシステムにおける周波数帯の利用例を示す。図１において、下図はサービングセルにおける周波数帯の利用例を示し、上図は隣接セルにおける周波数帯の利用例を示す。
【０００８】
サービングセルでは、隣接セルの利用例と同様に、周波数帯ｆ０、周波数帯ｆ１、周波数帯ｆ２は３Ｇシステムにより運用しており、周波数帯ｆ３はＬＴＥシステムにより運用していた。周波数帯ｆ０、周波数帯ｆ１、周波数帯ｆ２、周波数帯ｆ３は、５ＭＨｚであってもよい。また、隣接セルに周波数ｆ０、周波数ｆ１は５ＭＨｚのシステムを導入し、周波数ｆ２及び周波数ｆ３を使用してＬＴＥシステムの１０ＭＨｚを導入した場合を考える。
【０００９】
ユーザ端末は、ＬＴＥシステムの基地局からの下りリンクの信号の通信品質の測定を実施する。具体的には、ユーザ端末は、割り当てられた周波数帯域の中心周波数を含み、且つ少なくとも６リソースブロック（ＲＢ：  Ｒｅｓｏｕｒｃｅ  Ｂｌｏｃｋ）で、ＬＴＥシステムの基地局からの下りリンクの信号の通信品質の測定を実施する。ユーザ端末の測定周波数帯域幅は、少なくとも６ＲＢで測定すると規定されているためである。６ＲＢは、１．０８ＭＨｚに相当する。
【００１０】
図１に示される周波数帯の利用例において、周波数帯ｆ２と周波数帯ｆ３において、ＬＴＥシステムにより通信を実施するユーザ端末は、周波数帯ｆ２と周波数帯ｆ３の中心周波数を含む６ＲＢで、通信品質の測定を実施する。つまり、周波数帯ｆ２と周波数帯ｆ３の通信品質として、中心周波数を含む６ＲＢの通信品質が測定される。
【００１１】
周波数帯ｆ０、周波数帯ｆ１は、サービングセルと、隣接セルで同様のシステムが運用されているため、セル間干渉は均一となる。
【００１２】
しかし、周波数帯ｆ２と周波数帯ｆ３とを加えた帯域では、サービングセルでは５ＭＨｚのＬＴＥシステムが運用され、隣接セルでは、３Ｇシステムと、ＬＴＥシステムとが運用されているため、セル間干渉は不均一となる。
【００１３】
周波数帯ｆ２と周波数帯ｆ３とを加えた帯域の中心周波数を含む６ＲＢで測定された通信品質は、実際の通信品質よりもよい値となることが多い。従って、周波数帯ｆ２と周波数帯ｆ３とを加えた帯域で通信を実施するユーザ端末が、周波数帯ｆ２と周波数帯ｆ３とを加えた帯域の中心周波数を含む６ＲＢで測定された通信品質を利用して、セル移行を行った場合には、失敗する可能性が高い。具体的には、周波数帯ｆ２と周波数帯ｆ３とを加えた帯域で通信を実施するユーザ端末が、周波数帯ｆ２と周波数帯ｆ３とを加えた帯域の中心周波数を含む６ＲＢで測定されたＲＳＲＱ（Ｒｅｆｅｒｅｎｃｅ  Ｓｉｇｎａｌ  Ｒｅｃｅｉｖｅｄ  Ｑｕａｌｉｔｙ）を利用して、セル移行を行った場合には、失敗する可能性が高い。ここで、セル移行には、セルリセレクションや、ハンドオーバが含まれる。
【００１４】
ＲＳＲＱを利用してセル移行を行った場合に生じると想定される影響を低減するために、以下の対策が考えられる。
【００１５】
セル移行に利用する指標としてＲＳＲＱの代わりに、ＲＳＲＰ（Ｒｅｆｅｒｅｎｃｅ  Ｓｉｇｎａｌ  Ｒｅｃｅｉｖｅｄ  Ｐｏｗｅｒ）を利用することが考えられる。しかし、ＲＳＲＰに基づいてハンドオーバを実施するか否かを判定するようにした場合、干渉が多いエリアでは、他セル干渉が不明となる。このため、ユーザ端末は、ハンドオーバしたにも関わらず、無線品質が悪く、結果としてハンドオーバに失敗することが想定される。
【００１６】
また、５ＭＨｚで運用されているセルを１０ＭＨｚで運用するセルに切替えるようにすることが考えられる。しかし、全てのエリアを１０ＭＨｚで運用するセルに切替えるには時間を要する。また、国境付近でのオペレータの違いにより、運用しているＬＴＥシステムの帯域幅の違いにより１０ＭＨｚで運用するセルと、５ＭＨｚで運用されているセルとが混在する可能性があるが、すべてのセルにおいて１０ＭＨｚのＬＴＥシステムを導入するには時間を要する。
【００１７】
本発明は、上記の点に鑑みてなされたものであり、環境に応じて、無線品質評価を行うことができる技術を提供することを目的とする。
【課題を解決するための手段】
【００１８】
上記の課題を解決するために、本発明のユーザ端末は、
ユーザ端末により利用される周波数帯と、該ユーザ端末と通信を行うセル以外の周辺セルにより利用される周波数帯との関係を表す周波数配置と、該周波数配置に対応してセル移行を実行するか否かを判定する際に利用するセル移行指標を算出する際に利用するセル移行指標算出式とを格納する記憶部と、
下りリンクの信号に基づいて、前記記憶部に格納された周波数配置のうち、該当する周波数配置を特定し、該周波数配置に対応するセル移行指標算出式により、セル移行指標を算出するセル移行指標算出部と、
該セル移行算出部により算出されたセル移行指標を利用して、セル移行制御を行うセル移行制御部と
を有する、ユーザ端末として達成される。
【００１９】
前記記憶部には、前記周波数配置として、前記周辺セルの第１の通信システム及び第２の通信システムのうちの少なくとも一方における周波数帯と、前記ユーザ端末により利用される前記第２の通信システムにおける周波数帯との関係が格納される、ように構成してもよい。
【００２０】
前記周辺セルの第１の通信システム、第２の通信システムにより利用される周波数帯域幅は、前記ユーザ端末により利用される前記第２の通信システムにより利用される周波数帯域幅とは異なっていてもよい。
【００２１】
前記記憶部には、前記セル移行指標算出式として、前記ユーザ端末が通信を行うセルからの下りリンクの信号の受信電力を含む算出式と、前記周辺セルからの干渉電力を含む算出式とが含まれる、ように構成してもよい。
【００２２】
前記セル移行制御部は、アイドルモードであるか否かに応じて、セルリセレクションを行うか否か、メジャメントレポートを送信するかを判定する、ように構成してもよい。
【００２３】
前記セル移行制御部は、アイドルモードである場合、セルリセレクションを行うか否かを判定し、アイドルモードでない場合、メジャメントレポートを送信すると判定する、ように構成してもよい。
【００２４】
前記セル移行制御部は、メジャメントレポートを送信すると判定した場合、前記セル移行指標を含むメジャメントレポートを送信する制御を行う、ように構成してもよい。
【００２５】
本発明の基地局は、
ユーザ端末からのメジャメントレポートに基づいて、該ユーザ端末をハンドオーバさせるか否かを判定するハンドオーバ制御部と、
該ハンドオーバ制御部により前記ユーザ端末をハンドオーバさせると判定された場合、前記ユーザ端末に、ハンドオーバを指示するための情報を送信する無線通信部と
を有し、
前記メジャメントレポートは、ユーザ端末により下りリンクの信号に基づいて、ユーザ端末により利用される周波数帯と、該ユーザ端末と通信を行うセル以外の周辺セルにより利用される周波数帯との関係を表す周波数配置と、該周波数配置に対応してセル移行を実行するか否かを判定する際に利用するセル移行指標を算出する際に利用するセル移行指標算出式とを格納する記憶部に格納された周波数配置のうち、該当する周波数配置が特定され、該周波数配置に対応するセル移行指標算出式により、セル移行指標が算出され、該セル移行指標に基づいて作成されたものである、基地局として達成される。
【００２６】
また、上記ユーザ端末が実行する通信制御方法、上記ユーザ端末が実行するプログラムとして構成することもできる。
【００２７】
また、上記基地局が実行する通信制御方法、上記基地局が実行するプログラムとして構成することもできる。
【発明の効果】
【００２８】
開示された実施例によれば、環境に応じて、無線品質評価を行うことができる技術を提供することが可能となる。
【図面の簡単な説明】
【００２９】
【図１】複数のシステムにおける周波数帯の利用例を示す図である。
【図２】無線通信システムの一実施例を示す図である。
【図３】ユーザ端末の一実施例を示す図である。
【図４】複数のシステムにおける周波数帯の利用例の詳細（その１）を示す図である。
【図５】複数のシステムにおける周波数帯の利用例の詳細（その２）を示す図である。
【図６】複数のシステムにおける周波数帯の利用例の詳細（その３）を示す図である。
【図７】複数のシステムにおける周波数帯の利用例の詳細（その４）を示す図である。
【図８】複数のシステムにおける周波数帯の利用例の詳細（その５）を示す図である。
【図９】ＲＳＲＰ、ＲＳＲＱを示す図である。
【図１０】ＲＳＳＩ、ＲＳＣＰを示す図である。
【図１１】ユーザ端末の一実施例を示す機能ブロック図である。
【図１２】基地局の一実施例を示す図である。
【図１３】基地局の一実施例を示す機能ブロック図である。
【図１４】ユーザ端末の動作の一実施例を示すフローチャートである。
【発明を実施するための形態】
【００３０】
以下、図面に基づいて、実施例を説明する。
なお、実施例を説明するための全図において、同一機能を有するものは同一符号を用い、繰り返しの説明は省略する。
【００３１】
＜実施例＞
＜無線通信システム＞
図２は、無線通信システムの一実施例を示す。
【００３２】
無線通信システムが適用される環境は、複数の無線通信システムが混在する。複数の無線通信システムには、異なる移動通信方式で無線通信を行うものが含まれる。移動通信方式は、無線アクセス技術（ＲＡＴ：  Ｒａｄｉｏ  Ａｃｃｅｓｓ  Ｔｅｃｈｎｏｌｏｇｙ）と呼ばれることもある。３ＧＰＰ（３ｒｄ  Ｇｅｎｅｒａｔｉｏｎ  Ｐａｒｔｎｅｒｓｈｉｐ  Ｐｒｏｊｅｃｔ）標準仕様に規定されているＲＡＴには、ＬＴＥ（Ｌｏｎｇ  Ｔｅｒｍ  Ｅｖｏｌｕｔｉｏｎ）、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）（登録商標）が含まれる。ＵＭＴＳは第３世代通信方式であり、ＧＳＭは第２世代通信方式である。
【００３３】
無線通信システムが適用される環境の一実施例では、ＵＭＴＳに従って無線通信を行うシステム（以下、「第１のシステム」という）と、ＬＴＥに従って無線通信を実行するシステム（以下、「第２のシステム」という）とが含まれる。他のシステムが含まれる場合でも同様である。
【００３４】
第１のシステムは、ユーザ端末（ＵＥ：  Ｕｓｅｒ  Ｅｑｕｉｐｍｅｎｔ）１００と、第１の基地局（ＢＳ：  Ｂａｓｅ  Ｓｔａｔｉｏｎ）３００１、及び３００２と、無線ネットワーク制御装置（ＲＮＣ：  Ｒａｄｉｏ  Ｎｅｔｗｏｒｋ  Ｃｏｎｔｒｏｌｌｅｒ）４００とを含む。
【００３５】
第１の基地局３００１、及び３００２は、無線ネットワーク制御装置４００と接続される。無線ネットワーク制御装置４００は、コアネットワーク７００と接続される。
【００３６】
第１の基地局３００１はセル３５０１をカバーし、第１の基地局３００２はセル３５０２をカバーする。第１の基地局３００１、及び３００２は、図１に示したように、周波数帯ｆ０、周波数帯ｆ１、周波数帯ｆ２、周波数帯ｆ３のいずれかの帯域で、ユーザ端末１００との間で無線通信を行う。つまり、第１の基地局３００１、及び３００２は、５ＭＨｚの帯域を利用して、ユーザ端末１００との間で無線通信を行う。
【００３７】
ユーザ端末１００は、セル３５０１において第１の基地局３００１と、セル３５０２において第１の基地局３００２と、ＵＭＴＳ方式により無線通信を行う。
【００３８】
図２には、１台のユーザ端末が描かれているが、２台以上であってもよい。また、図２には、無線ネットワーク制御装置４００に２台の第１の基地局３００１、及び３００２が接続されているが、１台でもよいし、３台以上でもよい。また、図２には、１台の無線ネットワーク制御装置４００が描かれているが、２台以上であってもよい。
【００３９】
第２のシステムは、ユーザ端末１００と、第２の基地局５００と、アクセスゲートウェイ６００とを含む。
【００４０】
第２の基地局５００はアクセスゲートウェイ６００と接続される。アクセスゲートウェイ６００は、コアネットワーク７００と接続される。アクセスゲートウェイ６００が、コアネットワーク７００に含まれてもよい。第２の基地局５００は、セル５５０をカバーする。第２の基地局５００は、図１に示したように、周波数帯ｆ０、周波数帯ｆ１、周波数帯ｆ２、周波数帯ｆ３のいずれかの帯域、又は複数の帯域で、ユーザ端末１００との間で無線通信を行う。第２の基地局５００の一実施例では、５ＭＨｚ、又は１０ＭＨｚの帯域で、ユーザ端末１００との間で無線通信を行う場合について説明するが、１．４ＭＨｚ、３ＭＨｚ、５ＭＨｚ、１０ＭＨｚ、１５ＭＨｚ、２０ＭＨｚのいずれかを選択することができる。
【００４１】
ユーザ装置１００はセル５５０において第２の基地局５００とＬＴＥ方式により無線通信を行う。
【００４２】
アクセスゲートウェイ６００は、モビリティマネジメントエンティティ／サービングゲートウェイ（ＭＭＥ／ＳＧＷ：  Ｍｏｂｉｌｉｔｙ  Ｍａｎａｇｅｍｅｎｔ  Ｅｎｔｉｔｙ／Ｓｅｒｖｉｎｇ  Ｇａｔｅｗａｙ）と呼ばれることもある。図２には、アクセスゲートウェイ６００に１台の第２の基地局５００が接続されているが、２台以上でもよい。また、図２には、１台のアクセスゲートウェイ６００が描かれているが、２台以上であってもよい。
【００４３】
第２の基地局５００と通信を行うことができるユーザ端末１００は、第１の基地局３００１、及び３００２とも通信を行うことができるものであってもよい。この場合、ユーザ端末１００は、デュアルモード端末と呼ばれることもある。ユーザ端末１００の一実施例では、第１のシステムと、第２のシステムとの両方で、無線通信を行うことができる場合について説明する。
【００４４】
＜ユーザ端末１００＞
図３は、ユーザ端末１００の一実施例を示す。
【００４５】
ユーザ端末１００は、第２の基地局５００と無線通信を行うことができる。また、ユーザ端末１００は、第１の基地局３００１、３００２と無線通信を行うことができるものであってもよい。第１の基地局３００１、３００２と無線通信を行うことができるものである場合、ユーザ端末１００は、デュアルモード端末と呼ばれてもよい。デュアルモード端末は、例えばＬＴＥ方式と、例えばＵＭＴＳ方式により通信を行うことができる。ユーザ端末１００の一実施例では、第１の基地局３００１、３００２と、第２の基地局５００と接続可能である。
【００４６】
ユーザ端末１００は、サービングセルからの下りリンクの信号と、該サービングセル以外の周辺セルからの下りリンクの信号とを測定する。周辺セルには、サービングセルに隣接する隣接セルが含まれる。ユーザ端末１００は、サービングセルからの下りリンクの信号と、隣接セルからの下りリンクの信号とを測定するようにしてもよい。以下、一例として、ユーザ端末１００が、サービングセルからの下りリンクの信号と、隣接セルからの下りリンクの信号とを測定する場合について説明する。第１の基地局３００１、及び３００２からの下りリンクの信号にはパイロット信号（ＣＰＩＣＨ：  Ｃｏｍｍｏｎ  Ｐｉｌｏｔ  ＣＨａｎｎｅｌ）が含まれ、第２の基地局５００からの下りリンクの信号にはリファレンスシグナル（ＲＳ：  Ｒｅｆｅｒｅｎｃｅ  Ｓｉｇｎａｌ）が含まれる。
【００４７】
ユーザ端末１００は、全体に拡散された第１の基地局３００１、及び３００２からの下りリンクの信号を逆拡散した上で、通信品質の測定を実施する。また、ユーザ端末１００は、割り当てられた周波数帯域の中心周波数を含み、且つ少なくとも６リソースブロックで、第２の基地局５００からの下りリンクの信号の通信品質の測定を実施する。
【００４８】
ユーザ端末１００は、サービングセルからの下りリンクの信号の測定結果と、隣接セルからの下りリンクの信号の測定結果とに基づいて、サービングセル、隣接セルの周波数配置を特定する。また、ユーザ端末１００は、サービングセルからの報知情報と、隣接セルからの報知情報とに基づいて、サービングセル、隣接セルの周波数配置を特定するようにしてもよい。
【００４９】
ユーザ端末１００の一実施例では、特定した周波数配置に基づいて、セル移行の際に使用する指標（以下、「セル移行指標」という）を求める。ユーザ端末１００は、セル移行を行うか否かを判定する際に、周波数配置に基づいて求めたセル移行指標を利用する。
【００５０】
図４−図８は、周波数配置の例を示す。
【００５１】
＜周波数配置（その１）＞
図４は、隣接セルで、第１のシステムが運用されている場合の周波数の配置例（その１）を示す。
【００５２】
例えば、図１に示される周波数利用例において、サービングセルにおいて、第２のシステムにより周波数帯ｆ１と周波数帯ｆ２とを加えた周波数帯域が使用され、且つ隣接セルにおいて、第１のシステムにより周波数帯ｆ１と、周波数帯ｆ２とが使用される。図４に示される例では、第１のシステムの帯域幅は３．８４ＭＨｚにより表され、第２のシステムの帯域幅は９ＭＨｚにより表される。
【００５３】
＜周波数配置（その２）＞
図５は、隣接セルで、第１のシステムと、第２のシステムとが運用されている場合の周波数の配置例（その２）を示す。
【００５４】
例えば、図１に示される周波数利用例において、サービングセルにおいて、第２のシステムにより周波数帯ｆ２と周波数帯ｆ３とを加えた帯域が使用され、且つ隣接セルにおいて、第１のシステムにより周波数帯ｆ２が使用され、第２のシステムにより周波数帯ｆ３が使用される。図５に示される例では、第１のシステムの帯域幅は３．８４ＭＨｚにより表され、第２のシステムの帯域幅は９ＭＨｚと、４．５ＭＨｚとにより表される。
【００５５】
＜周波数配置（その３）＞
図６は、隣接セルで、第１のシステムが運用されている場合の周波数の配置例（その３）を示す。
【００５６】
例えば、図１に示される周波数利用例において、サービングセルにおいて、第２のシステムにより周波数帯ｆ２と周波数帯ｆ３とを加えた帯域が使用され、且つ隣接セルにおいて、第１のシステムにより周波数帯ｆ２が使用される。図６に示される例では、第１のシステムの帯域幅は３．８４ＭＨｚにより表され、第２のシステムの帯域幅は９ＭＨｚにより表される。
【００５７】
＜周波数配置（その４）＞
図７は、隣接セルで、第１のシステムが運用されている場合の周波数の配置例（その４）を示す。
【００５８】
例えば、図１に示される周波数利用例において、サービングセルにおいて、第２のシステムにより周波数帯ｆ１と周波数帯ｆ２とを加えた帯域が使用され、且つ隣接セルにおいて、第１のシステムにより周波数帯ｆ２が使用される。図７に示される例では、第１のシステムの帯域幅は３．８４ＭＨｚにより表され、第２のシステムの帯域幅は９ＭＨｚにより表される。
【００５９】
＜周波数配置（その５）＞
図８は、隣接セルで、第２のシステムが運用されている場合の周波数の配置例（その５）を示す。
【００６０】
例えば、図１に示される周波数利用例において、サービングセルにおいて、第２のシステムにより周波数帯ｆ２と周波数帯ｆ３とを加えた帯域が使用され、且つ第２のシステムにより周波数帯ｆ３が使用される。図８に示される例では、第２のシステムの帯域幅は、４．５ＭＨｚにより表される。
【００６１】
ユーザ端末１００は、無線通信部１０２と、ベースバンド制御装置１０４と、記憶部１０６とを有する。
【００６２】
無線通信部１０２は、第１の基地局３００１、第１の基地局３００２、又は第２の基地局５００との間で無線信号の送受信を行う。第１の基地局３００１、及び３００２からの下りリンクの無線信号には報知情報、パイロット信号が含まれ、第２の基地局５００からの下りリンクの無線信号には報知情報、リファレンスシグナルが含まれる。無線通信部１０２は、第１の基地局３００１、第１の基地局３００２、又は第２の基地局５００からの受信信号をベースバンド制御装置１０４へ入力する。
【００６３】
ベースバンド制御装置１０４は、記憶部１０６に記憶されたプログラムに従って、ベースバンド信号を処理するための制御を実行する。ベースバンド制御装置１０４は、無線通信部１０２と接続される。ベースバンド制御装置１０４は、無線通信部１０２からの受信信号に基づいて、上述した＜周波数配置（その１）＞−＜周波数配置（その５）＞から、該当する周波数配置を特定する。
【００６４】
ベースバンド制御装置１０４は、＜周波数配置（その１）＞−＜周波数配置（その５）＞から特定した周波数配置に応じて、セル移行の際に利用するセル移行指標を算出する。セル移行指標を算出する際に、＜周波数配置（その１）＞−＜周波数配置（その５）＞から特定した周波数配置に応じて、セル移行指標を算出する際に利用する算出式（以下、「セル移行指標算出式」という）を使用する。ベースバンド制御装置１０４は、セル移行を行うか否かを判定する際に、セル移行指標を使用する。
【００６５】
記憶部１０６は、ベースバンド制御装置１０４と接続される。記憶部１０６には、アプリケーションと、オペレーションシステム（ＯＳ：  Ｏｐｅｒａｔｉｎｇ  Ｓｙｓｔｅｍ）とが格納される。アプリケーションは、ユーザがユーザ端末１００で作業する処理を実行する機能を有するソフトウェアである。オペレーティングシステムは、ユーザ端末１００において、ハードウェアを抽象化したインターフェースをアプリケーションソフトウェアに提供するソフトウェアである。
【００６６】
また、記憶部１０６には、セル移行指標算出式が格納される。具体的には、記憶部１０６には、＜周波数配置（その１）＞−＜周波数配置（その５）＞に対応して、セル移行指標算出式が格納される。
【００６７】
＜セル移行算出式（その１）＞
記憶部１０６には、＜周波数配置（その１）＞に対応するセル移行算出式として、式（１）、式（２）が格納される。＜周波数配置（その１）＞は、隣接セルに第１のシステムが存在する場合に該当する。式（１）は、隣接セルの構成に応じて、受信電力に基づいて算出されるセル移行指標算出式である。受信電力に基づいて算出されるセル移行指標算出式では、受信電力から、隣接セルに応じた干渉電力と、ノイズとが減算される。式（２）は、隣接セルの構成に応じて、干渉電力に基づいて算出されるセル移行指標算出式である。干渉電力に基づいて算出されるセル移行指標算出式では、干渉電力から、隣接セルに応じた干渉電力と、ノイズとが減算される。
【００６８】
【数１】
0005798028.tif 000002
式（１）において、Ｐｏｗｅｒｓｅｒｖｉｎｇ（サービング基地局からの下りリンクの信号の受信電力）、ＵＭＴＳｉｎｔｅｒｆｅｒｅｎｃｅ１（第１のシステムからの干渉電力）、Ｎｏｉｓｅ１（ノイズ）は、以下に示される式により算出される。
【００６９】
Ｐｏｗｅｒｓｅｒｖｉｎｇ（ｄＢｍ）＝１０ｌｏｇ（ＲＳＲＰｓｅｒｖｉｎｇ×サブキャリア数）
ＵＭＴＳｉｎｔｅｒｆｅｒｅｎｃｅ１（ｄＢｍ）＝ＴＯＴＡＬＴｒａｎｓｍｉｔＰｏｗｅｒ−（ＣＰＩＣＨＴｒａｎｓｍｉｔＰｏｗｅｒ−ＲＳＣＰ）
ＲＳＲＰｓｅｒｖｉｎｇはサービング基地局に対応するＲＳＲＰである。ＴＯＴＡＬＴｒａｎｓｍｉｔＰｏｗｅｒは総送信電力である。ＣＰＩＣＨＴｒａｎｓｍｉｔＰｏｗｅｒはパイロットチャネルの送信電力である。ＲＳＣＰ（Ｒｅｃｅｉｖｅｄ  Ｓｉｇｎａｌ  Ｃｏｄｅ  Ｐｏｗｅｒ）は希望波受信電力である。
【００７０】
Ｎｏｉｓｅ１（ｄＢｍ）＝−１７４＋１０ｌｏｇ（１５０００×Ｓｅｒｖｉｎｇサブキャリア数）
ここで、自然界に存在するノイズは真値計算で−１７４ｄＢｍである。Ｎｏｉｓｅ１は、−１７４ｄＢｍと、サブキャリアの帯域幅と無線通信に利用するサブキャリア数とを乗算したものの対数とを加算することにより求めることができる。
【００７１】
サブキャリア数については、利用されている帯域が５ＭＨｚの場合は３００サブキャリアであり、１０ＭＨｚの場合は４５０サブキャリアであり、１５ＭＨｚの場合は６００サブキャリアであり、２０ＭＨｚの場合は７５０サブキャリアである。
【００７２】
【数２】
0005798028.tif 000003
Ｎｏｉｓｅ２（ｄＢｍ）＝−１７４＋１０ｌｏｇ（１５０００）
ＵＭＴＳｉｎｔｅｒｆｅｒｅｎｃｅ２（ｄＢｍ）＝ＴＯＴＡＬＴｒａｎｓｍｉｔＰｏｗｅｒ−（ＣＰＩＣＨＴｒａｎｓｍｉｔＰｏｗｅｒ−ＲＳＣＰ）−１０ｌｏｇ（２５６）
【００７３】
＜セル移行算出式（その２）＞
記憶部１０６には、＜周波数配置（その２）＞に対応するセル移行算出式として、式（３）、式（４）が格納される。＜周波数配置（その２）＞は、隣接セルに第１のシステムと、第２のシステムとが存在する場合に該当する。式（３）は、隣接セルの構成に応じて、受信電力に基づいて算出されるセル移行指標算出式である。受信電力に基づいて算出されるセル移行指標算出式では、受信電力から、隣接セルに応じた受信電力と隣接セルに応じた干渉電力との平均と、ノイズとが減算される。式（４）は、隣接セルの構成に応じて、干渉電力に基づいて算出されたセル移行指標算出式である。干渉電力に基づいて算出されるセル移行指標算出式では、干渉電力から、隣接セルに応じた受信電力と隣接セルに応じた干渉電力との平均と、ノイズとが減算される。
【００７４】
Ｍ（ｄＢｍ）＝Ｐｏｗｅｒｓｅｒｖｉｎｇ−（Ａｖｅ１＋Ｎｏｉｓｅ１）      （３）
式（３）において、Ｐｏｗｅｒｓｅｒｖｉｎｇ（サービング基地局からの下りリンクの信号の受信電力）、Ａｖｅ１（平均）、Ｎｏｉｓｅ１（ノイズ）は、以下に示される式により算出される。
【００７５】
Ｐｏｗｅｒｓｅｒｖｉｎｇ（ｄＢｍ）＝１０ｌｏｇ（ＲＳＲＰｓｅｒｖｉｎｇ×サブキャリア数）
ＲＳＲＰｓｅｒｖｉｎｇはサービング基地局に対応するＲＳＲＰである。
【００７６】
【数３】
0005798028.tif 000004
Ｐｏｗｅｒｎｅｉｇｈｂｏｒは隣接基地局からの下りリンクの信号の受信電力である。ＵＭＴＳｉｎｔｅｒｆｅｒｅｎｃｅ１は第１のシステムからの干渉電力である。
【００７７】
Ｎｏｉｓｅ１（ｄＢｍ）＝−１７４＋１０ｌｏｇ（１５０００×Ｓｅｒｖｉｎｇサブキャリア数）
Ｐｏｗｅｒｎｅｉｇｈｂｏｒ（ｄＢｍ）＝１０ｌｏｇ（ＲＳＲＰｎｅｉｇｈｂｏｒ×サブキャリア数）
ＵＭＴＳｉｎｔｅｒｆｅｒｅｎｃｅ１（ｄＢｍ）＝ＴＯＴＡＬＴｒａｎｓｍｉｔＰｏｗｅｒ−（ＣＰＩＣＨＴｒａｎｓｍｉｔＰｏｗｅｒ−ＲＳＣＰ）
Ｎ（ｄＢｍ）＝ＲＳＲＰｓｅｒｖｉｎｇ−（Ａｖｅ２＋Ｎｏｉｓｅ２）      （４）
式（４）において、ＲＳＲＰｓｅｒｖｉｎｇ（サービング基地局に対応するＲＳＲＰ）、Ａｖｅ２（平均）、Ｎｏｉｓｅ２（ノイズ）は、以下に示される式により算出される。
【００７８】
【数４】
0005798028.tif 000005
ＲＳＲＰｎｅｉｇｈｂｏｒは隣接基地局に対応するＲＳＲＰである。ＵＭＴＳｉｎｔｅｒｆｅｒｅｎｃｅ１は第１のシステムからの干渉電力である。
【００７９】
Ｎｏｉｓｅ２（ｄＢｍ）＝−１７４＋１０ｌｏｇ（１５０００）
ＵＭＴＳｉｎｔｅｒｆｅｒｅｎｃｅ２（ｄＢｍ）＝ＴＯＴＡＬＴｒａｎｓｍｉｔＰｏｗｅｒ−（ＣＰＩＣＨＴｒａｎｓｍｉｔＰｏｗｅｒ−ＲＳＣＰ）−１０ｌｏｇ（２５６）
【００８０】
＜セル移行算出式（その３）＞
記憶部１０６には、＜周波数配置（その３）＞に対応するセル移行算出式として、式（５）、式（６）が格納される。＜周波数配置（その３）＞は、隣接セルに第１のシステムが存在する場合に該当する。式（５）は、隣接セルの構成に応じて、受信電力に基づいて算出されるセル移行指標算出式である。受信電力に基づいて算出されるセル移行指標算出式では、受信電力から、隣接セルに応じた干渉電力と、ノイズとが減算される。式（６）は、隣接セルの構成に応じて、干渉電力に基づいて算出されるセル移行指標算出式である。干渉電力に基づいて算出されるセル移行指標算出式では、干渉電力から、隣接セルに応じた干渉電力と、ノイズとが減算される。
【００８１】
【数５】
0005798028.tif 000006
式（５）において、Ｐｏｗｅｒｓｅｒｖｉｎｇ、ＵＭＴＳｉｎｔｅｒｆｅｒｅｎｃｅ１、Ｎｏｉｓｅ１は、以下に示される式により算出される。
【００８２】
Ｐｏｗｅｒｓｅｒｖｉｎｇ（ｄＢｍ）＝１０ｌｏｇ（ＲＳＲＰｓｅｒｖｉｎｇ×サブキャリア数）
ＵＭＴＳｉｎｔｅｒｆｅｒｅｎｃｅ１（ｄＢｍ）＝ＴＯＴＡＬＴｒａｎｓｍｉｔＰｏｗｅｒ−（ＣＰＩＣＨＴｒａｎｓｍｉｔＰｏｗｅｒ−ＲＳＣＰ）
Ｎｏｉｓｅ１（ｄＢｍ）＝−１７４＋１０ｌｏｇ（１５０００×Ｓｅｒｖｉｎｇサブキャリア数）
サブキャリア数については、利用されている帯域が５ＭＨｚの場合は３００サブキャリアであり、１０ＭＨｚの場合は４５０サブキャリアであり、１５ＭＨｚの場合は６００サブキャリアであり、２０ＭＨｚの場合は７５０サブキャリアである。
【００８３】
【数６】
0005798028.tif 000007
Ｎｏｉｓｅ２（ｄＢｍ）＝−１７４＋１０ｌｏｇ（１５０００）
ＵＭＴＳｉｎｔｅｒｆｅｒｅｎｃｅ２（ｄＢｍ）＝ＴＯＴＡＬＴｒａｎｓｍｉｔＰｏｗｅｒ−（ＣＰＩＣＨＴｒａｎｓｍｉｔＰｏｗｅｒ−ＲＳＣＰ）−１０ｌｏｇ（２５６）
【００８４】
＜セル移行算出式（その４）＞
記憶部１０６には、＜周波数配置（その４）＞に対応するセル移行算出式として、式（７）、式（８）が格納される。＜周波数配置（その４）＞は、隣接セルに第１のシステムが存在する場合に該当する。式（７）は、隣接セルの構成に応じて、受信電力に基づいて算出されるセル移行指標算出式である。受信電力に基づいて算出されるセル移行指標算出式では、受信電力から、隣接セルに応じた干渉電力と、ノイズとが減算される。式（８）は、隣接セルの構成に応じて、干渉電力に基づいて算出されるセル移行指標算出式である。干渉電力に基づいて算出されるセル移行指標算出式では、干渉電力から、隣接セルに応じた干渉電力と、ノイズとが減算される。
【００８５】
【数７】
0005798028.tif 000008
式（７）において、Ｐｏｗｅｒｓｅｒｖｉｎｇ、ＵＭＴＳｉｎｔｅｒｆｅｒｅｎｃｅ１、Ｎｏｉｓｅ１は、以下に示される式により算出される。
【００８６】
Ｐｏｗｅｒｓｅｒｖｉｎｇ（ｄＢｍ）＝１０ｌｏｇ（ＲＳＲＰｓｅｒｖｉｎｇ×サブキャリア数）
ＵＭＴＳｉｎｔｅｒｆｅｒｅｎｃｅ１（ｄＢｍ）＝ＴＯＴＡＬＴｒａｎｓｍｉｔＰｏｗｅｒ−（ＣＰＩＣＨＴｒａｎｓｍｉｔＰｏｗｅｒ−ＲＳＣＰ）
Ｎｏｉｓｅ１（ｄＢｍ）＝−１７４＋１０ｌｏｇ（１５０００×Ｓｅｒｖｉｎｇサブキャリア数）
サブキャリア数については、利用されている帯域が５ＭＨｚの場合は３００サブキャリアであり、１０ＭＨｚの場合は４５０サブキャリアであり、１５ＭＨｚの場合は６００サブキャリアであり、２０ＭＨｚの場合は７５０サブキャリアである。
【００８７】
【数８】
0005798028.tif 000009
Ｎｏｉｓｅ２（ｄＢｍ）＝−１７４＋１０ｌｏｇ（１５０００）
ＵＭＴＳｉｎｔｅｒｆｅｒｅｎｃｅ２（ｄＢｍ）＝ＴＯＴＡＬＴｒａｎｓｍｉｔＰｏｗｅｒ−（ＣＰＩＣＨＴｒａｎｓｍｉｔＰｏｗｅｒ−ＲＳＣＰ）−１０ｌｏｇ（２５６）
【００８８】
＜セル移行算出式（その５）＞
記憶部１０６には、＜周波数配置（その５）＞に対応するセル移行算出式として、式（９）、式（１０）が格納される。＜周波数配置（その５）＞は、隣接セルに第２のシステムが存在する場合に該当する。式（９）は、隣接セルの構成に応じて、受信電力に基づいて算出されるセル移行指標算出式である。受信電力に基づいて算出されるセル移行指標算出式では、受信電力から、隣接セルに応じた受信電力と、ノイズとが減算される。式（１０）は、隣接セルの構成に応じて、干渉電力に基づいて算出されるセル移行指標算出式である。干渉電力に基づいて算出されるセル移行指標算出式では、干渉電力から、隣接セルに応じた干渉電力と、ノイズとが減算される。
【００８９】
【数９】
0005798028.tif 000010
式（９）において、Ｐｏｗｅｒｓｅｒｖｉｎｇ、Ｐｏｗｅｒｎｅｉｇｈｂｏｒ（隣接基地局からの下りリンクの信号の受信電力）、Ｎｏｉｓｅ１は、以下に示される式により算出される。
【００９０】
Ｐｏｗｅｒｓｅｒｖｉｎｇ（ｄＢｍ）＝１０ｌｏｇ（ＲＳＲＰｓｅｒｖｉｎｇ×サブキャリア数）
Ｐｏｗｅｒｎｅｉｇｈｂｏｒ（ｄＢｍ）＝１０ｌｏｇ（ＲＳＲＰｎｅｉｇｈｂｏｒ×サブキャリア数）
ＲＳＲＰｓｅｒｖｉｎｇはサービング基地局に対応するＲＳＲＰである。ＲＳＲＰｎｅｉｇｈｂｏｒは隣接基地局に対応するＲＳＲＰである。
【００９１】
Ｎｏｉｓｅ１（ｄＢｍ）＝−１７４＋１０ｌｏｇ（１５０００×Ｓｅｒｖｉｎｇサブキャリア数）
【００９２】
【数１０】
0005798028.tif 000011
式（１０）において、Ｎｏｉｓｅ２は、以下に示される式により算出される。
【００９３】
Ｎｏｉｓｅ２（ｄＢｍ）＝−１７４＋１０ｌｏｇ（１５０００）
サブキャリア数については、利用されている帯域が５ＭＨｚの場合は３００サブキャリアであり、１０ＭＨｚの場合は４５０サブキャリアであり、１５ＭＨｚの場合は６００サブキャリアであり、２０ＭＨｚの場合は７５０サブキャリアである。
【００９４】
図９は、リファレンスシグナルを示す。図９において、横軸は周波数である。ＲＳＲＰは、システム帯域幅全体のＲＳの１サブキャリアあたりの受信電力である。ＲＳＲＱは、ＲＳＲＰ×ＲＢ（Ｒｅｓｏｕｒｃｅ  Ｂｌｏｃｋ）数／ＲＳＳＩにより表される。
【００９５】
図１０は、ＲＳＳＩ、ＲＳＣＰを示す。
【００９６】
図１０には、拡散時の希望波、干渉波、熱雑音と、逆拡散時の希望波、干渉波、熱雑音とが示される。
【００９７】
Ｅｃ（ｍＷ／Ｈｚ）は拡散時の希望波の電力密度であり、ｌｏ（ｍＷ／Ｈｚ）は拡散時の干渉波と熱雑音とを合わせた電力密度であり、Ｎｏ（ｍＷ／Ｈｚ）は拡散時の希望波と干渉波と熱雑音とを合わせた電力密度である。Ｂ（ｃｐｓ）は３．８４Ｍｃｐｓであり、Ｒ（ｓｐｓ）は１５ｋｓｐｓである。
【００９８】
Ｅｓ（ｍＷ／Ｈｚ）は逆拡散時の希望波の電力密度であり、ｌｏ´（ｍＷ／Ｈｚ）は逆拡散時の干渉波と熱雑音とを合わせた電力密度である。
【００９９】
Ｅｓ（ｍＷ／Ｈｚ）はＥｃ×Ｂ／Ｒ（ｍＷ／Ｈｚ）により表される。ＲＳＳＩ（ｍＷ）はＮｏ×Ｂ（ｍＷ）により表される。ＲＳＣＰ（ｍＷ）はＥｓ×Ｒ＝Ｅｃ×Ｂ（ｍＷ）により表される。ＩＳＳＩ（ｍＷ）はｌｏ´×Ｒ（ｍＷ）により表される。ＮｏｉｓｅはＮｏ×Ｒ（ｍＷ）により表される。
【０１００】
無線通信部１０２は、セルサーチの際に、第１の基地局３００１、第１の基地局３００２、第２の基地局５００からの下りリンクの信号の通信品質を測定する。具体的には、無線通信部１０６は、第２の基地局５００からの下りリンクの信号に基づいて、ＲＳＲＰ（Ｒｅｆｅｒｅｎｃｅ  Ｓｉｇｎａｌ  Ｒｅｃｅｉｖｅｄ  Ｐｏｗｅｒ）、ＲＳＲＱ（Ｒｅｆｅｒｅｎｃｅ  Ｓｉｇｎａｌ  Ｒｅｃｅｉｖｅｄ  Ｑｕａｌｉｔｙ）、ＲＳＳＩ（Ｒｅｃｅｉｖｅｄ  Ｓｉｇｎａｌ  Ｓｔｒｅｎｇｔｈ  Ｉｎｄｉｃａｔｏｒ）を測定してもよい。
【０１０１】
＜ユーザ端末１００の機能＞
図１１は、ユーザ端末１００の機能の一実施例を示す。図１１には、記憶部１０６に記憶されたプログラムに従って、ベースバンド制御装置１０４の有するＣＰＵ（図示無し）により実行される機能が示される。
【０１０２】
ベースバンド制御装置１０４により実行される機能には、セル移行指標算出部１１２と、セル移行制御部１１４とが含まれる。
【０１０３】
セル移行指標算出部１１２には、無線通信部１０２から、サービングセルを表す情報と、隣接セルを表す情報とが入力される。具体的には、サービングセルからの下りリンクの信号の測定結果に基づくサービングセルを表す情報と、隣接セルからの下りリンクの信号の測定結果に基づく隣接セルを表す情報とが入力されてもよい。また、サービングセルからの報知情報に含まれるサービングセルを表す情報と、隣接セルからの報知情報に含まれる隣接セルを表す情報とが入力されてもよい。セル移行指標算出部１１２は、無線通信部１０２からのサービングセルを表す情報と、隣接セルを表す情報とに基づいて、上述した＜周波数配置（その１）＞−＜周波数配置（その５）＞から該当する周波数配置を特定する。セル移行指標算出部１１２は、記憶部１０６に格納された＜セル移行算出式（その１）＞−＜セル移行算出式（その５）＞から、特定された周波数配置に対応するセル移行算出式を使用してセル移行指標を算出する。セル移行指標算出部１１２は、セル移行制御部１１４へ、セル移行指標を入力する。
【０１０４】
セル移行制御部１１４は、セル移行指標算出部１１２と接続される。セル移行制御部１１４は、セル移行指標算出部１１２からのセル移行指標を利用して、セル移行を行うか否かを判定する。セル移行制御部１１４は、セル移行を行うと判定した場合、セル移行を行う制御を行う。具体的には、セル移行制御部１１４は、セルリセレクションを行うか否かを判定する。セル移行制御部１１４は、セルリセレクションを行うと判定した場合、セルリセレクションを実行するための制御を行う。
【０１０５】
また、セル移行制御部１１４は、第１の基地局３００１、第１の基地局３００２、又は第２の基地局５００からのハンドオーバの指示に従って、ハンドオーバを実行するための制御を行う。具体的には、セル移行制御部１１４は、第１の基地局３００１、第１の基地局３００２、又は第２の基地局５００へ、メジャメントレポートを送信する制御を行う。該メジャメントレポートに、セル移行指標が含まれてもよい。また、該メジャメントレポートに、セル移行指標に基づいて算出された新たな指標が含まれてもよい。
【０１０６】
＜第２の基地局５００＞
図１２は、第２の基地局５００の一実施例を示す。
【０１０７】
第２の基地局５００は、アクセスゲートウェイ６００と接続される。第２の基地局５００は、通信部５０２と、無線通信部５０４と、ベースバンド制御装置５０６と、記憶部５０８とを有する。
【０１０８】
通信部５０２は、アクセスゲートウェイ６００と接続される。通信部５０２は、アクセスゲートウェイ６００との間で信号の送受信を行う。アクセスゲートウェイ６００からの信号には、第２の基地局５００以外の基地局から、Ｓ１インターフェースを介して受信する情報が含まれてもよい。また、通信部５０２は、Ｓ１インターフェースを介して、アクセスゲートウェイ６００へ信号を送信するようにしてもよい。
【０１０９】
無線通信部５０４は、配下のユーザ端末へ、ベースバンド制御装置５０６からのリファレンスシグナルと、ハンドオーバを指示する情報とを送信する。無線通信部５０４は、配下のユーザ端末へ、ベースバンド制御装置５０６からの報知情報を送信するようにしてもよい。また、無線通信部５０４は、ユーザ端末１００からのメジャメントレポートを受信する。
【０１１０】
ベースバンド制御装置５０６は、通信部５０２、無線通信部５０４と接続される。ベースバンド制御装置５０６は、記憶部５０８に記憶されたプログラムに従って、ベースバンド信号を処理するための制御を実行する。
【０１１１】
ベースバンド制御装置５０６は、ユーザ端末１００からのメジャメントレポートに基づいて、ユーザ端末１００をハンドオーバさせるか否かを判断する。該メジャメントレポートに、ユーザ端末１００により算出されたセル移行指標が含まれてもよい。また、該メジャメントレポートに、セル移行指標に基づいて算出された新たな指標が含まれてもよい。ハンドオーバさせると判断した場合、ベースバンド制御装置５０６は、無線通信部５０４へ、ハンドオーバを指示する情報を入力する。無線通信部５０４は、ユーザ端末１００へ、ハンドオーバ制御装置５０６からのハンドオーバを指示する情報を送信する。
【０１１２】
記憶部５０８は、ベースバンド制御装置５０６と接続される。記憶部５０８には、アプリケーションと、ＯＳとが格納される。アプリケーションは、作業者が第２の基地局５００で作業する処理を実行する機能を有するソフトウェアである。オペレーティングシステムは、第２の基地局５００において、ハードウェアを抽象化したインターフェースをアプリケーションソフトウェアに提供するソフトウェアである。
【０１１３】
＜第２の基地局５００の機能＞
図１３は、第２の基地局５００の機能の一実施例を示す。図１３には、記憶部５０８に記憶されたプログラムに従って、ベースバンド制御装置５０６により実行される機能が示される。
【０１１４】
ベースバンド制御装置５０６により実行される機能には、ハンドオーバ制御部５１２が含まれる。
【０１１５】
ハンドオーバ制御部５１２には、無線通信部５０４からメジャメントレポートが入力される。ハンドオーバ制御部５１２は、無線通信部５０４からメジャメントレポートに基づいて、ユーザ端末１００をハンドオーバさせるか否かを判断する。ハンドオーバ制御部５１２は、ユーザ端末１００をハンドオーバさせると判定した場合、無線通信部５０４へ、ハンドオーバを指示するための信号を入力する。
【０１１６】
＜ユーザ端末１００の動作＞
図１４は、ユーザ端末１００の動作の一実施例を示す。
【０１１７】
ステップＳ１４０２では、無線通信部１０２は、サービングセルと、隣接セルとを測定する。無線通信部１０２は、サービングセルと、隣接セルとの間で同期を確立し、サービングセルからの報知情報と、隣接セルからの報知情報とを受信する。また、無線通信部１０２は、サービングセルからのリファレンスシグナルと、隣接セルからのパイロット信号とを受信する。無線通信部１０２は、サービングセルからのリファレンスシグナルと、隣接セルからのパイロット信号とを測定する。
【０１１８】
ステップＳ１４０４では、セル移行指標算出部１１２は、ステップＳ１４０２において測定されたサービングセルと、隣接セルとに基づいて、周波数配置を特定する。セル移行指標算出部１１２は、サービングセルからの報知情報に含まれるサービングセルのシステムを表す情報、リファレンスシグナルの測定結果と、隣接セルからの報知情報に含まれる隣接セルのシステムを表す情報、パイロット信号の測定結果とに基づいて、周波数配置を特定する。サービングセルのシステムを表す情報には、該サービングセルにより利用されている周波数帯を表す情報が含まれてもよい。隣接セルのシステムを表す情報には、該隣接セルにより利用されている周波数帯を表す情報が含まれてもよい。
【０１１９】
ステップＳ１４０６では、セル移行指標算出部１１２は、ステップＳ１４０４において特定された周波数配置に従ってセル移行指標を算出する。セル移行指標を算出する際に、サービングセルからリファレンスシグナルの測定結果と、隣接セルからのパイロット信号の測定結果とが利用される。
【０１２０】
ステップＳ１４０８では、セル移行制御部１１４は、アイドルモードであるか否かを判定する。
【０１２１】
ステップＳ１４１０では、ステップＳ１４０８においてアイドルモードであると判定した場合、セル移行制御部１１４は、他セルの閾値と比較する。つまり、セル移行制御部１１４は、ステップＳ１４０６により算出されたセル移行指標と、他セルへ移行する際に利用する閾値とを比較する。具体的には、セル移行制御部１１４は、セル移行指標が、閾値以上であるか否かが判断される。
【０１２２】
ステップＳ１４１２では、セル移行制御部１１４は、他セルの閾値との比較結果に基づいて、セル移行処理を実行する。具体的には、セル移行制御部１１４は、セルリセレクション処理を実行する。セル移行制御部１１４は、セル移行指標が閾値未満である場合に、セルリセレクションを実行するようにしてもよい。セル移行指標が閾値未満である場合には、通信品質がよくないと想定されるためである。セル移行制御部１１４は、セル移行指標が閾値以上である場合に、セルリセレクションを実行しないようにしてもよい。セル移行指標が閾値以上である場合には、通信品質がよいと想定されるためである。
【０１２３】
ステップＳ１４１４では、ステップＳ１４０８においてアイドルモードでないと判定した場合、セル移行制御部１１４は、メジャメントレポートを送信する制御を行う。セル移行制御部１１４は、セル移行指標を含むメジャメントレポートを送信する制御を行うようにしてもよい。また、セル移行制御部１１４は、セル移行指標に基づいて算出された新たな指標を含むメジャメントレポートを送信する制御を行うようにしてもよい。
【０１２４】
ステップＳ１４１６では、セル移行制御部１１４は、ネットワークからハンドオーバ指示を受信する。この場合、第２の基地局５００は、ユーザ端末１００からのメジャメントレポートに基づいて、該ユーザ端末１００をハンドオーバさせるか否かを判断する。この場合、第２の基地局５００は、ユーザ端末１００をハンドオーバさせると判断し、該ユーザ端末１００にハンドオーバを指示する情報を送信する。
【０１２５】
ステップＳ１４１８では、セル移行制御部１１４は、ハンドオーバ指示に従って、セル移行処理を実行する。具体的には、セル移行制御部１１４は、ハンドオーバ処理を実行する。
【０１２６】
本実施例によれば、隣接セルの周波数配置に応じて、セル移行に利用する指標を算出する際に使用する算出式が用意される。セル移行に利用する指標を算出する際に使用する算出式は、受信電力、干渉電力に基づくものである。該算出式では、測定されている測定値を利用するものであるため、適用が容易である。該算出式は、干渉電力に基づくものであるため、ＲＳＲＰで問題となる他セル干渉の影響を低減できる。具体的には、ＲＳＲＰは、割り当てられた帯域の中心周波数を含む６ＲＢで測定されても、割り当てられた帯域の全帯域測定で測定されてもほぼ変わらない値となる。つまり、測定帯域幅に関わらずほぼ一定の値となる。このため、ＲＳＲＱで問題となる測定帯域幅で他セル干渉が変わることを低減できる。
【０１２７】
他セル干渉の影響を低減できるため、一定の場所でのハンドオーバや、セルリセレクションを実現できる。このため、通信品質が悪くなってからハンドオーバが実行されるのを低減できる。つまり、品質が悪くなる前に通信品質が悪化する可能性を示すことができ、ベストセルへのハンドオーバやセルリセレクションを促すことができる。
【０１２８】
セル移行に利用する指標を算出する際に使用する算出式が用意されるため、環境に応じた無線品質評価を実現できる。周辺セルに応じた算出式を利用して、セル移行に利用する指標を算出できるため、Ｉｎｔｅｒ  ＲＡＴ及びハンドオーバの失敗確率を減少させることができる。
【０１２９】
説明の便宜上、発明の理解を促すため具体的な数値例を用いて説明されるが、特に断りのない限り、それらの数値は単なる一例に過ぎず適切な如何なる値が使用されてよい。
【０１３０】
以上、本発明は特定の実施例を参照しながら説明されてきたが、各実施例は単なる例示に過ぎず、当業者は様々な変形例、修正例、代替例、置換例等を理解するであろう。説明の便宜上、本発明の実施例に係る装置は機能的なブロック図を用いて説明されたが、そのような装置はハードウエアで、ソフトウエアで又はそれらの組み合わせで実現されてもよい。本発明は上記実施例に限定されず、本発明の精神から逸脱することなく、様々な変形例、修正例、代替例、置換例等が包含される。
【符号の説明】
【０１３１】
１００  ユーザ端末
１０２  無線通信部
１０４  ベースバンド制御装置
１０６  記憶部
１１２  セル移行指標算出部
１１４  セル移行制御部
３００１、３００２  第１の基地局
３５０１、３５０２  セル
４００  無線ネットワーク制御装置
５００  第２の基地局
５０２  通信部
５０４  無線通信部
５０６  ベースバンド制御装置
５０８  記憶部
５１２  ハンドオーバ制御部
５５０  セル
６００  アクセスゲートウェイ
７００  コアネットワーク
【図１】
0005798028.tif 000012
【図２】
0005798028.tif 000013
【図３】
0005798028.tif 000014
【図４】
0005798028.tif 000015
【図５】
0005798028.tif 000016
【図６】
0005798028.tif 000017
【図７】
0005798028.tif 000018
【図８】
0005798028.tif 000019
【図９】
0005798028.tif 000020
【図１０】
0005798028.tif 000021
【図１１】
0005798028.tif 000022
【図１２】
0005798028.tif 000023
【図１３】
0005798028.tif 000024
【図１４】
0005798028.tif 000025